(57)【要約】【課題】蓄熱材としての水容器を用いて暖房及び冷房をそれぞれ効果的におこなう。【解決手段】水容器５０の両側面に配管支持・伝熱部材１を配置する。この配管支持・伝熱部材１には温水或いは冷水が通過する配管５が配置され、この配管５を保持する配管保持部４の上下には伝熱面２及び３が形成されている。暖房時は配管５に温水を通過させる。温水の熱は配管５以外に、その大半は上下の伝熱面２、３を介して水容器５０内の水Ｗに伝達され、矢印６に示すような対流が生じる。反対に配管５内に冷水を通過させると水Ｗは冷却されて水容器５０の底部に向かって下降し、点線７で示す対流が生じる。冷房時、暖房時共にこの対流により水容器５０の水に対してプラス或いはマイナスの蓄熱を効果的に行うことができる。【選択図】　　　　図１
2004053187.tif 000002
【特許請求の範囲】
【請求項１】
支持部材上部の空間が仕切部材によって個々の区画として仕切られ、かつこの仕切られた区画にそれぞれ配置された蓄熱材である水容器の水を加熱或いは冷却することにより当該蓄熱材に隣接する空間を暖房或いは冷房する構造において、仕切部材が支持部材に当接する区画隅部にそれぞれ配置されることより水容器側縁部と当接し、一部が媒体を通過させる配管の保持部として構成され、かつ残りの部分が水容器側縁と当接する伝熱面として構成されていることを特徴とする配管支持・伝熱部材。
【請求項２】
配管支持・伝熱部材の高さ方向のほぼ中央部に配管保持部が形成され、この配管保持部の上下にそれぞれ上部伝熱面及び下部伝熱面が形成されていることを特徴とする請求項１記載の配管支持・伝熱部材。
【請求項３】
配管支持・伝熱部材の高さ方向のほぼ頂部に配管保持部が形成され、この配管保持部の下部に伝熱面が形成されていることを特徴とする請求項１記載の配管支持・伝熱部材。
【請求項４】
配管支持・伝熱部材の高さ方向のほぼ底部に配管保持部が形成され、この配管保持部の上部に伝熱面が形成されていることを特徴とする請求項１記載の配管支持・伝熱部材。
【請求項５】
配管支持・伝熱部材の高さ方向のほぼ頂部に第１の配管保持部が形成され、かつ伝熱面を介して底部に第２の配管保持部が形成され、各配管保持部にそれぞれ媒体通過用の配管が配置されていることを特徴とする請求項１記載の配管支持・伝熱部材。
【請求項６】
配管支持・伝熱部材は、配管保持部材と、この配管保持部材に嵌合する伝熱部材とから構成され、配管保持部材には配管保持部が形成され、かつ伝熱部材にはこの配管保持部と嵌合する手段か設けられ、配管保持部材は区画隅部に固定され、配管保持部に配置された配管を覆うように前記伝熱部材が配管保持部材に嵌合固定されるよう構成したことを特徴とする請求項１記載の配管支持・伝熱部材。
【請求項７】
水容器の側縁部上部には水容器の体積の変化に対応する撓み部が形成され、配管支持・伝熱部材の高さ方向のほぼ頂部に配管保持部がこの撓み部に当接するよう構成され、かつ当該配管支持・伝熱部材は支持部材に接触する底部側縁を中心として揺動可能に構成され、当該配管支持・伝熱部材と仕切部材との間には可撓性部材が配置されることにより、配管支持・伝熱部材の揺動状態に係わりなく、配管保持部がこの撓み部に圧接することにより撓み部の谷部が常時密着するよう構成したことを特徴とする請求項１記載の配管支持・伝熱部材。
【請求項８】
仕切部材に対して支点部材が固着され、配管支持・伝熱部材の背面には突条が突設され、かつ支点部材にはこの突条と係合する突条受けが形成され、前記突条を支点部材の突条受けに嵌挿することにより、配管支持・伝熱部材はこの突条と突条受けとの係合部を支点として揺動するよう構成したことを特徴とする請求項７記載の配管支持・伝熱部材。
【請求項９】
前記配管保持部に対する配管の嵌挿を廃止し、或いは配管保持部自体を無くして専ら伝熱面として機能するよう構成したことを特徴とする請求項７又は８記載の配管支持・伝熱部材。
【請求項１０】
前記配管支持・伝熱部材はアルミニウム等の熱伝導性の高い材料により形成されていることを特徴とする請求項１乃至９の何れかに記載の配管支持・伝熱部材。
【発明の詳細な説明】
【０００１】
【発明の属する技術分野】
本発明は家屋等の構造物の床部或いは天井部に配置される蓄熱材に対して伝熱するための熱媒体が通過する配管の支持及び伝熱を行う部材に関する。
【０００２】
【従来の技術】
発明者等は水或いはこれに類する液体を充填した袋状の容器を蓄熱材として家屋等の構造物の床面下部等に配置し、床面を介して室内空間を暖房或いは冷房する構造を提案している（特願平５−１３５１７８号、同５−１９９８３号、同１０−４２９８１号等）。
【０００３】
図９及び図１０はこの提案された構造の一例を示しており、根太と称される仕切部材５２により構造物（家屋）の床面の下部に形成された空間内に蓄熱材として袋状の水容器５０がそれぞれ配置されている。水容器５０を各空間部に配置したならば床板５１を張って床面が形成される。
【０００４】
この構成により、水容器５０に対して電気ヒータ等の発熱材（図示せず）を配置して水容器５０の水Ｗにこの熱を伝達し、水容器５０の配置面全体から放熱することによって部屋全体を暖房する。また反対に、冷却水等通過させる配管をこの水容器５０に密着配置させることより水容器５０を冷却、即ち水容器５０に対してマイナスの伝熱を行って冷房を行うこともできる。
【０００５】
また、例えば冬季に床面に照射する日光により床面を温め、この太陽光の熱を床面の下部空間に配置されている水容器５０内の水Ｗに伝達し蓄熱し、周囲の温度が低下するとこの水容器５０に蓄熱された熱を放熱して室内を温める自然暖房も併用可能である。
【０００６】
【発明が解決しようとする課題】
以上の構成において、例えば温水或いは冷水等の熱媒体により水容器５０内の水Ｗを加熱或いは冷却する方法としては、水容器５０の配置面を構成する支持材５３（図１０参照）に熱媒体用の配管を配置する方法が考えられる。
【０００７】
しかし、この様に配管を水容器５０の底面に配置すると、温水による暖房時には別段問題はないが、冷房時には次のような問題が生じる。
即ち、冷房時は配管内の冷水により水容器５０内の水Ｗを冷却し、かつこのマイナスの熱量を蓄えた水容器５０により床面を介して室内を冷却することにより実行される。この場合、水容器５０内の水Ｗは当該水容器５０の底面から冷却されることになるため、水容器５０内では温度の低い水は水容器５０の底部に滞留し、対流による水容器５０全体の冷却が期待できず、冷房効率は低いものとならざるを得ない。
【０００８】
【課題を解決するための手段】
本発明は上述の問題点を解決するものであって、仕切部材（根太）によって区画された各区画の仕切材に沿って配置された配管保持及び伝熱を行う部材であって、当該部材は、水容器の高さ方向に位置するよう当該水容器に密着配置され、かつ熱媒体が通過する１本又は２本の配管を保持する配管保持部を有し、配管内のの媒体の熱をこの伝熱部材を介して水容器側に伝達するよう構成した配管支持・伝熱部材である。
【０００９】
【発明の実施の態様】
床部の根太等の仕切部材の高さ方向に接触するようにして、当該仕切部材の長手方向に沿ってアルミニウム等の熱伝導性の高い材料からなる配管支持・伝熱部材を配置する。この配管支持・伝熱部材には配管保持部が形成され、当該配管保持部には温水或いは冷水等の熱媒体が通過する配管が保持されている。
【００１０】
配管支持・伝熱部材は仕切部材により区画された各空間の隅部において当該仕切部材のの高さ方向に配置されることにより、結果的に各区画に配置された水容器の高さ方向において当該水容器に密着する構成となる。
例えば、暖房時には配管内を温水が通過することにより、この温水の熱は配管を介して直接水容器内の水に伝達される他、配管支持・伝熱部材に伝熱され、かつこの配管支持・伝熱部材の全体を介して水容器内の水に伝熱される。
【００１１】
配管支持・伝熱部材は前述のとおり水容器の高さ方向において水容器と接触しているため、仕切部材側に位置する水容器の側面部のうち広範囲の部分、或いは水容器側面のほぼ全面から伝熱される。伝熱が水容器の側面から行われる結果、冷房時及び暖房時共に水容器内に水の対流が生じ、水容器全体を均一に加熱或いは冷却することができる。
【００１２】
【実施例】
図１は本発明の第１の実施例を示す。
図中符号１は配管支持・伝熱部材を示す。同図は配管支持・伝熱部材の断面を示しているが、配管支持・伝熱部材１はこの断面形状が連続した状態で仕切部材５２に沿って当該仕切部材５２の奥行方向に対して配置されている。
【００１３】
符号２はこの配管支持・伝熱部材１の上部伝熱面、３は下部伝熱面、４はこの両伝熱面２及び３に連接する配管保持部であり、当該配管支持・伝熱部材１はこれらの部分が一体となって形成されている。またその構成材料としては例えばアルミニウム等の熱伝導性の高い材料により形成される。このように形成された配管支持・伝熱部材１は奥行き方向の所定の部分で仕切部材５２或いは支持部材５３に対してビス止め（図示せず）することにより家屋の構造材側に固定される。
【００１４】
５は熱媒体としての温水或いは冷水が通過する配管であり、前記配管保持部４に嵌挿配置されることにより配管支持・伝熱部材によって支持される。またこの配管５は内部を通過する熱媒体の熱を外部に伝達させ易い熱伝導性の高い材料、例えば銅等の金属或いは比較的薄肉のプラスチックにより形成されたものがものが好適である。
【００１５】
図示の構成では上部伝熱面２はその終端が仕切材５２の上端に位置しているが、符号２´のように水容器５０側に曲げ込んだ水平面を形成してもよい。発明者は特願２００２−１９６８１８号などにより床板部分から太陽光による熱を水容器５０に蓄熱する構成を提案している。この場合、上記配管支持・伝熱部材１に水平面２´を形成しておけば、床面からの熱が当該配管支持・伝熱部材１に伝熱し易く、この配管支持・伝熱部材１を介して水容器５０内の水を効果的に加熱することができる。
【００１６】
以上の構成において、例えば冬季等において配管５に温水を通過させると、温水の熱はこの配管５から水容器５０内の水Ｗに直接伝達される他、配管支持・伝熱部材１の上部伝熱面及び下部伝熱面３を介して前記水Ｗに伝達される。この結果水容器５０内の水Ｗは温められて当該水容器５０内を上昇し（実線の矢印６で示す）、上昇した水は床面を介して放熱して下降することにより水容器５０内で水が循環流動し、水容器５０内の水全体を均一に加熱する。
【００１７】
また、床面に日光が照射している場合には、床面の熱はこの配管支持・伝熱部材１を介して水容器５０の側部からも内部の水Ｗに伝達されるため、やはり対流が発生し、水容器５０内の水を均一に昇温させる。なおこの場合必要がなければ配管５に対する温水の供給は停止しておく。
【００１８】
反対に、配管５内に冷水を通過させた場合には配管５、上下の伝熱面２及び３を介して水容器５０内の水Ｗは冷却される。この結果冷却された水は点線の矢印７で示すように水容器５０内を下降する。配管支持・伝熱部材１は水容器５０の両側に配置されているため、水容器５０の両側から冷却され水が連続的に下降し、この結果水容器両側からそれぞれ下降した水Ｗが衝突する部分で冷却水は水容器５０の上部に向かって反転上昇して循環流動する。この結果床面を効果的に冷却することが可能となる。
【００１９】
図２は第２の実施例を示す。
符号８はこの実施例における配管支持・伝熱部材を示す。この配管支持・伝熱部材８は、配管保持部材８Ａと、伝熱部材８Ｂの二つに分割された構成となっている。
【００２０】
この内、配管保持部材８Ａは家屋の構造材である仕切部材５２及び支持部材５３に密着するようほぼ直角に位置する取付面８Ａａ及び８Ａｂを有し、かつ両取付面８Ａａ及び８Ａｂは配管保持部８Ａｃを介して連接し、配管保持部材８Ａとして一体的に構成されている。配管保持部８Ａｃは両側に壁部が形成されることにより断面Ｕ字状の溝部として形成され、この溝部に対して配管５が嵌挿配置される構造となっている。
【００２１】
一方伝熱部材８Ｂは、水容器５０と密着する伝熱面８Ｂａと、この伝熱面８Ｂａの裏面に形成された係合溝部８Ｂｂとを有し、配管５を配置した配管保持部材８Ａの配管保持部８Ａｃの壁面にこの係合溝部８Ｂｂの壁面を嵌挿配置することにより伝熱部材８Ｂ全体を配管保持部材８Ａに対して固定する。
【００２２】
この実施例では配管５内の媒体の熱は全て伝熱部材８Ｂの伝熱面８Ｂａを介して行われる。また、配管５は配管保持部材８Ａと伝熱部材８Ｂとにより構成される配管支持・伝熱部材内に完全に収納された構成となっているため、水容器５０の水圧等に対する強度を考慮する必要がなく、専ら伝熱効率の点から配管の材料或いは肉厚を決定することが可能となる。
【００２３】
図３は第３の実施例を示す。
矢印９はこの実施例における配管支持・伝熱部材を示す。この配管支持・伝熱部材９は上下に配管保持部が形成された構成となっている。先ず符号９Ａは上部配管保持部、９Ｂは下部配管保持部であり、各配管保持部９Ａ、９Ｂにはそれぞれ配管５Ａ及び５Ｂが配置されている。また、これら上下の配管保持部９Ａ、９Ｂの間に伝熱面９Ｃが形成され、全体として一体的な配管支持・伝熱部材９が構成されている。
【００２４】
次に、この構成の配管支持・伝熱部材９の使用方法を示す。
一つの使用方法として、上部の配管５Ａを冷水等の冷却媒体を通過させる配管として利用し、かつ下部配管５Ｂを温水等の加熱媒体を通過させる配管として利用する方法がある。
【００２５】
この方法の場合、冬季等暖房の必要な場合には下部の配管５Ｂのみを使用してこの下部配管５Ｂに温水を通過させる。これにより配管支持・伝熱部材９全体からも水Ｗに伝熱されるが、最も直接的に伝熱するのは下部の配管５Ｂが位置する部分であるので、水容器５０全体としては水容器底部の水の方がより大きな熱量で温められる。この結果水容器５０内に水の上昇流が形成され、かつ床面で放熱冷却された水は下降するので、水の自然循環が可能となり、効果的な床暖房が実施できる。
【００２６】
夏期等、床面の冷却を行う場合には上部の配管５Ａを用いて冷却水等を通過させれば、配管５Ａの配置部分である水容器５０の上部をより多く冷却することができ、床面を介して効率的な冷却が可能となる。
【００２７】
別の使用方法として、上下の配管を利用し同じ媒体を通過させる方法もある。例えば、上下の配管５Ａ、５Ｂ共に温水を通過させれば、配管が一本の場合よりもより多量の熱量を水容器５０の水Ｗに伝達することができる。同様に上下の配管５Ａ、５Ｂ共に冷水を通過させればより多量のマイナス熱量を水容器５０の水に伝達（冷却）することができる。また何れの場合も配管支持・伝熱部材９全体を介して、水容器５０側部から水Ｗに対して効果的にプラスの伝熱（加熱）、マイナスの伝熱（冷却）を行うことができる。
【００２８】
図４は第４の実施例を示す。この実施例は床面の冷却の効率向上を主目的として構成されている。
矢印１０で示す配管支持・伝熱部材は、その上端部に配管保持部１０Ａが形成されており、その下部は全て伝熱面１０Ｂとなっている。
【００２９】
この構成において、配管５に対して冷水等の冷却媒体を通過させると、前記実施例３の場合と同様、水容器５０内の水Ｗのうち特に容器上部の水の冷却効率が高くなる。このこの結果、水容器５０の上部に位置する床面を介しての冷房効率を高めることができる。また水容器５０上部の冷却水は前述のとおり水容器５０下部に下降するので、水容器５０全体のマイナスの蓄熱量（冷却）を効率的に行うことができる。
【００３０】
なお、温水を通過させて暖房を行う場合には、前記各実施例に比較して効率は低下するが、配管保持部１０Ａの下部は全て伝熱面１０Ｂであるため、この伝熱面１０Ｂを介して温水の熱を比較的良好に水Ｗに伝達することができる。なお床面に照射した太陽光の熱を水容器５０側に伝達する場合には、この大面積の伝熱面１０Ｂは水容器５０内の水Ｗに対して効果的に伝熱することができる。この実施例における暖房においては、例えば電気ヒータ等別の熱源との併用等も考えられる。
【００３１】
また、上記と逆の構成、つまり配管保持部を底部に形成し、かつ配管保持部の上部に伝熱面を形成する構成とすることより、特に暖房時の効率を高めるよう構成することもとより可能である。
【００３２】
図５及び図６は第５の実施例を示す。
水容器５０の使用態様によっては、冬季に水容器内の水が凍結するような環境に置かれる場合がある。この場合、水が凍結することにより水容器５０全体の体積が増加するため、この増加分を見越して水容器５０の体積の増加に対応するよう撓みを予め形成しておく方法が実施されている。また水容器５０内の水が加熱された場合も内部の水の体積が膨張するので、この膨張分を見越してある程度の撓みを形成する場合もある。
【００３３】
図６（Ｂ）は水容器５０に撓みを形成した状態を示す。図中符号５０ａは水容器に形成された撓み部を示す。図示のように水容器５０のサイズを、水容器５０が収納される区画の幅よりも予め大きめに形成することにより、図示のような撓み部５０ａが仕切部材５２に近接する位置で形成されるようにしておく。これによって水容器５０内の水Ｗの凍結或いは温度上昇に伴う体積の増加を、撓み部５０ａの変形によって吸収することにより対応するよう構成されている。
【００３４】
上述のような撓み部５０ａを形成した水容器が使用される場合、図４に示す構成であると、冷却媒体が通過する配管５の部分は撓み部５０ａの谷部５０ｂが介在するため、水Ｗに対して配管５を中心とした部分の伝熱（冷却）が極端に悪くなる。
【００３５】
本実施例はこのような撓み部５０ａを有する水容器５０に対する伝熱の効率を高めるよう構成している。
図５において矢印１１は揺動型の配管支持・伝熱部材である。この配管支持・伝熱部材１１は支持部材５３に接触する底部側縁部１１ａを中心として配管５を保持する配管保持部１１Ａが揺動可能に構成されている。なお符号１１Ｂは配管支持・伝熱部材１１の伝熱面である。
【００３６】
この伝熱面１１Ｂの背面と仕切部材５２との間にはゴム或いはスポンジ等の多孔質材からなる可撓性部材１２が介在配置され、この可撓性部材１２の弾性により配管支持・伝熱部材１１は水容器５０側に付勢されている。この結果水容器５０の撓み部５０ａは図示の如く、その谷部５０ｂが密着した状態となっている。この結果配管支持・伝熱部材１１の配管５を中心とした部分の、水Ｗに対する熱伝達効率が向上する。
【００３７】
図６（Ａ）は水Ｗの凍結或いは温度上昇により水容器５０全体の体積が増加した状態を示す。即ち、水容器５０の体積の増加に対応して配管支持・伝熱部材１１は、前可撓性部材１２の弾性に抗して仕切部材５２側に押され、水容器５０の膨張を許容する。また配管支持・伝熱部材１１が何れの位置に在る場合でも、配管支持部１１Ａ及び配管５は水容器５０側に圧接されるため、水容器５０の撓み部５０ａの谷部５０ｂが開くことはなく、従って配管支持・伝熱部材１１の位置に係わりなく、水Ｗに対する配管５を中心とした部分の伝熱効率を（冷却効率）を高く保持することができる。
【００３８】
図７は第６の実施例であって、前記第５の実施例の変形例を示す。
符号１３は支点部材であって、仕切部材５２に対してビス等により固定されている。配管支持・伝熱部材１１の伝熱面１１Ｂの背後には突条１１Ｃが形成されており、この突条１１Ｃは前記支点部材１３の突条受け部１３Ａに嵌挿され、これにより配管支持・伝熱部材１１は支点部材１３の突条受け部１３Ａと自己の突条１１Ｃとの係合部を支点として揺動するよう構成されている。
【００３９】
なお、図５乃至図７に示した揺動型の配管支持・伝熱部材においては、配管支持部１１Ａが配管支持・伝熱部材１１の上端側に位置する場合の構成を示したが、主として暖房用の配管保持部１１Ａが配管支持・伝熱部材１１の下端部に位置する構成、或いは図１に示すように配管支持部がほぼ中央に位置する冷暖両用型の構成の場合でも、撓み部５０ａの谷部５０ｂが開いているのは熱伝達上望ましいことではないので、このような構成の場合も配管支持・伝熱部材を揺動型に構成することによって、より高い伝熱効率を実現することが可能となる。
【００４０】
また、図５乃至図７に示した揺動型の配管支持・伝熱部材の構成から、配管保持部１１Ａを無くし、全体を伝熱面とする伝熱部材として構成し、例えば床面からの熱を水容器側面から伝熱する際に、水容器の膨張、収縮に対応するように構成した変形例も考えられる。
【００４１】
図８は、以上各実施例により示した配管支持・伝熱部材により支持された熱媒体用の配管の配置例を示している。なお図示の構成では水容器は省略している。図示の構成では熱媒体の通過する配管は矢印で示すように、それぞれの水容器が配置される各区画の両側において、その流れが対向する対向流方式としてある。これにより例えば暖房時、区画Ａにおいては熱交換未了の最も温度の高い温水と、全ての区画を回って戻って来た最も温度の低い温水とが通過し、反対に、区画Ｂにおいては各区画を通過することによりほぼ同温度の温水が通過するようにする。これにより各区画内の水容器に対する伝熱をほぼ均一にすることが可能となる。
【００４２】
なお場合によっては、図示の床面の内、その一部に流し台を設置したり、或いは作り付けのクローゼットを設置する等の理由により、これら設置面に対しては床面の冷暖房を行わない方がよい場合もある。このような場合には当該部分に対して水容器等の蓄熱材を配置せず、これに対応して前記配管をこの冷暖房を行わない面に配置しないか、或いは配置する場合には配管支持・伝熱部材に変えて断熱材により配管を断熱し、この部分での冷暖房を行わないようにする。
【００４３】
【発明の効果】
本発明によれば、配管支持・伝熱部材を介して、温水或いは冷水の等の加熱或いは冷却媒体により、蓄熱材である水容器の側部から内部の水を加熱或いは冷却するので、冷房時及び暖房時共に水容器内の水を対流させながら伝熱可能となる。この結果水容器の蓄熱能力を最大限に発揮することが可能となる。
【００４４】
また、床面に照射した太陽光の熱を水容器に蓄熱する場合、従来は水容器上部の水から加熱されるため、対流が起こりずらく水容器全体蓄熱効率を高めることが困難であったが、本発明ではこの配管支持・伝熱部材を介して水容器の側部からの伝熱が可能となるので、冬季等の太陽光による蓄熱を効果的に行うことが可能となる。
【図面の簡単な説明】
【図１】本発明の第１の実施例を示す配管支持・伝熱部材の断面図である。
【図２】本発明の第２の実施例を示す配管支持・伝熱部材の断面図である。
【図３】本発明の第３の実施例を示す配管支持・伝熱部材の断面図である。
【図４】本発明の第４の実施例を示す配管支持・伝熱部材の断面図である。
【図５】本発明の第５の実施例を示す配管支持・伝熱部材の断面図である。
【図６】（Ａ）は図５に示す配管支持・伝熱部材の揺動状態を示す配管支持・伝熱部材の断面図、（Ｂ）は撓み部を形成した水容器の断面部分図である。
【図７】本発明の第６の実施例を示す配管支持・伝熱部材の断面図である。
【図８】本発明に係る配管支持・伝熱部材を用いた配管の配置状態を示す床部の平面図である。
【図９】水容器の配置状態を示す床部の平面図である。
【図１０】図６のＡ−Ａ線による断面図である。
【符号の説明】
１　配管支持・伝熱部材
２　上部伝熱面
３　下部伝熱面
４　配管保持部
５　配管
８　配管支持・伝熱部材
８Ａ　配管保持部材
８Ａａ、８Ａｂ　取付面
８Ａｃ　配管保持部
８Ｂ　伝熱部材
８Ｂａ　伝熱面
９　配管支持・伝熱部材
９Ａ　上部配管保持部
９Ｂ　下部配管保持部
９Ｃ　伝熱面
１０　配管支持・伝熱部材
１０Ａ　配管保持部
１０Ｂ　伝熱面
１１　（揺動型）配管支持・伝熱部材
１１Ａ　配管保持部
１１Ｂ　伝熱面
１１Ｃ　突条
１２　可撓性部材
１３　支点部材
１３Ａ　突条受け部
５０　水容器
５０ａ　撓み部
５０ｂ　（撓み部の）谷部
５２　仕切部材
５３　支持部材
Ｗ　水
【図１】
2004053187.tif 000003
【図２】
2004053187.tif 000004
【図３】
2004053187.tif 000005
【図４】
2004053187.tif 000006
【図５】
2004053187.tif 000007
【図６】
2004053187.tif 000008
【図７】
2004053187.tif 000009
【図８】
2004053187.tif 000010
【図９】
2004053187.tif 000011
【図１０】
2004053187.tif 000012